(57)【特許請求の範囲】
【請求項１】
カードを挿入または返却する開口と、
前記カードの挿入に伴い移動するスライダと、
前記開口から挿入されたカードに所定の処理を施すため前記スライダを一時的に保持するカード保持部と、
前記開口から前記カードを返却する位置に前記スライダを移動させる返却部と、
前記スライダを前記カードが未挿入時の位置に戻すよう付勢する付勢部と、
前記スライダに係合する係合部と前記カードに当接する当接部とを有する制動部と、を有し、
前記制動部が、前記カードの返却時、前記スライダの移動に伴って回動し、前記当接部が前記カードに当接することを特徴とするカード処理装置。
【請求項２】
前記カードは、上方から挿入され、
前記制動部が自重により軸支される軸受部を有することを特徴とする請求項１に記載のカード処理装置。
【発明の詳細な説明】
【技術分野】
【０００１】
本発明は、カード処理装置に関する。
【背景技術】
【０００２】
従来、カードをカード挿入口兼返却口から自重によってカード収納部に落下させ、そのカードのカード処理を行うために一旦支承し、カード処理後に上昇手段によってカードを上昇させ、カード挿入口兼返却口からカードの上部を露呈させることによって返却する非接触型ＩＣカード処理装置が提案されている（例えば、特許文献１参照）。
また、自重によって鉛直方向へ落下したカードをカード収納箱に回収するカード処理装置が提案されている（例えば、特許文献２参照）。さらに、カードを上方から挿入しカード処理後上方に返却する構造のものが提案されている（例えば、特許文献３参照）。
【先行技術文献】
【特許文献】
【０００３】
【特許文献１】特開２００１−１８４４６５号公報
【特許文献２】特開２０１０−７３１３１号公報
【特許文献３】特開２０１４−１７８９２５号公報
【発明の概要】
【発明が解決しようとする課題】
【０００４】
しかしながら、特許文献３のカード処理装置では返却時にカードが飛び出してしまうことがある。この不具合を解消するために、バネの荷重を調整する必要があるが、バネの荷重が弱すぎるとカード詰まりが生じる恐れがあり、逆にバネの荷重が強すぎるとカードが飛び出してしまうため、このようにバネの荷重調整では困難であった。
【０００５】
本発明は、上記問題点に鑑みなされたものであって、開口からカードが飛び出したり、詰まったりすることのないカード処理装置を提供することを目的とする。
【課題を解決するための手段】
【０００６】
上記課題を解決するために、（１）本発明のカード処理装置は、カードを挿入または返却する開口と、前記カードの挿入に伴い移動するスライダと、前記開口から挿入されたカードに所定の処理を施すため前記スライダを一時的に保持するカード保持部と、前記開口から前記カードを返却する位置に前記スライダを移動させる返却部と、前記スライダを前記カードが未挿入時の位置に戻すよう付勢する付勢部と、前記スライダに係合する係合部と前記カードに当接する当接部とを有する制動部と、を有し、前記制動部が、前記カードの返却時、前記スライダの移動に伴って回動し、前記当接部が前記カードに当接する。
【０００７】
（２）上記（１）において、前記カードは、上方から挿入され、前記制動部が自重により軸支される軸受部を有する。
【発明の効果】
【０００８】
本発明によれば、開口からカードが飛び出したり、詰まったりすることのないカード処理装置を提供できる。
【図面の簡単な説明】
【０００９】
【図１】本実施形態に係るカード処理装置の外観構成を示す正面図である。
【図２】本実施形態に係るカード処理装置のカード挿入時及びカード返却時におけるカバーを外したときの正面構造を示す正面図である。
【図３】本実施形態に係るカード処理装置のカード挿入時及びカード返却時の断面状態を示す図であって、図２におけるＤ−Ｄ線断面図である。
【図４】本実施形態に係るカード処理装置の読取時におけるカバーを外したときの正面構造を示す正面図である。
【図５】本実施形態に係るカード処理装置の読取時の断面状態を示す図であって、図４におけるＥ−Ｅ線断面図である。
【図６】本実施形態に係るカード処理装置のカード静止時におけるカバーを外したときの正面構造を示す正面図である。
【図７】本実施形態に係るカード処理装置のカード静止時の断面状態を示す図であって、図６におけるＦ−Ｆ線断面図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
＜カード処理装置の構成＞
図１は、本実施形態に係るカード処理装置の外観構成を示す正面図である。図２は、本実施形態に係るカード処理装置のカード挿入時とカード返却時におけるカバーを外したときの正面構造を示す正面図である。図３は、本実施形態に係るカード処理装置のカード挿入時とカード返却時の断面状態を示す図であって、図２におけるＤ−Ｄ線断面図である。
【００１２】
図４は、本実施形態に係るカード処理装置の読取時におけるカバーを外したときの正面構造を示す正面図である。図５は、本実施形態に係るカード処理装置の読取時の断面状態を示す図であって、図４におけるＥ−Ｅ線断面図である。図６は、本実施形態に係るカード処理装置のカード静止時におけるカバーを外したときの正面構造を示す正面図である。図７は、本実施形態に係るカード処理装置のカード静止時の断面状態を示す図であって、図６におけるＦ−Ｆ線断面図である。
【００１３】
図１に示すように、カード処理装置１００は、ベース１の上端部に非接触型ＩＣ(Integrated Circuit)カードＣＡ（以下、これを単にカードＣＡと呼ぶ）を挿入または返却するための開口１ａが設けられ、ベース１を構成している表面側ベース１ｆｍに対してカバー２が装着可能な全体外観構成を有している。
【００１４】
表面側ベース１ｆｍにおける左右両側上端部にはシャッタ３、３が設けられ、当該シャッタ３、３における下方端部のシャッタ軸３ａ、３ａを介してリンク４、４と連結されている。
【００１５】
図２〜図７に示されるように、ベース１を構成している表面側ベース１ｆｍのほぼ中央に平行に設けられた縦長のベース溝１ｃ、１ｃにはスライダ５が矢印Ａ−Ｂ方向へスライド自在に係合されているとともに、スライダ５の中央に縦長に設けられたスライダ溝５ｅに対して表面側ベース１ｆｍ上に立設された突起部１ｅが係合されている。
【００１６】
スライダ５は、スライダ溝５ｅとは直交する矢印Ｅ方向へ向かって突出した突出部５ｂ（図３）を有し、当該突出部５ｂが表面側ベース１ｆｍから矢印Ｅ側へ向かって突出している。またスライダ５には、当該スライダ５の下方に設けられた第１ストッパ１０の爪１０ｂと係合するための係合孔５ａが第１ストッパ１０の延長線上方の所定位置に形成されている。第１ストッパ１０は、カード保持部として機能し、開口１ａから挿入されたカードＣＡに所定の処理を施すためスライダ５を一時的に保持するためのものである。
【００１７】
スライダ５の左右両側にはバネ（付勢部）６、６が設けられ、当該スライダ５の左右両側下方端部とバネ６、６の下端部とが取り付けられるとともに、バネ６、６が矢印Ａ−Ｂ方向へ向かって互いに平行となるように、当該バネ６、６の上端が表面側ベース１ｆｍ上の所定位置に取り付けられている。このバネ６、６は、カードＣＡが未だ挿入されていない未挿入時の位置にスライダ５を戻すように矢印Ａ方向へ常時付勢している。
【００１８】
スライダ５の下方に設けられた第１ストッパ１０は、表面側ベース１ｆｍから矢印Ｆ方向へ突設されたボス１ｇに対して軸１０ａを中心に回動自在に取り付けられている。第１ストッパ１０の近傍には電磁ソレノイド９が設けられ、そのプランジャ９ａに固定されたピン１１が第１ストッパ１０に摺動自在に係合されている。
【００１９】
電磁ソレノイド９は、図２に示されるように、電流が印加されない状態ではプランジャ９ａが上方に位置されているので、このとき図３に示されるように、第１ストッパ１０が時計回り方向へ付勢され、図５に示されるように、第１ストッパ１０の爪１０ｂがスライダ５の係合孔５ａに係合された状態が維持されるように構成されている。
【００２０】
一方、電磁ソレノイド９は、図４に示されるように、電流が印加されるとプランジャ９ａが吸引されるので、当該プランジャ９ａとともにピン１１が下方へ移動することになる。このとき、ピン１１が下方へ移動し、プランジャ９ａが更に吸引され続けることにより、軸１０ａを中心として第１ストッパ１０が反時計回り方向へ回転されるように構成されている（図３）。なお、電磁ソレノイド９および第１ストッパ１０によってカードＣＡを開口１ａから上方へ返却する位置にスライダ５を移動させるカード返却部を構成する。
【００２１】
第２ストッパ２０は制動部として機能し、この第２ストッパ２０には、矢印Ｆ側へ向かって突出し、スライダ５に形成された係合孔５ａに係合する係合部２１が形成されている。また、第２ストッパ２０には、ベースから突出している回転軸１ｄを中心に回動自在に取り付けられる軸受部２３が形成されている。本実施形態の場合、カードＣＡは、上方から挿入される構成であるため、軸受部２３は制動部である第２ストッパ２０が自重により軸支される構成をしている。
【００２２】
カードＣＡの返却時、スライダ５の移動に伴って軸受部２３により回動し、カードＣＡが当接する当接部２２が形成されている。これにより、返却時のカードＣＡの勢い抑えることができ、カードＣＡが飛び出したり、詰まったりすることを防止することができる。
当接部２２には、カードＣＡが傷つかないようにコーティングを施し、またシボ加工する等の表面処理を施すことができる。
【００２３】
＜カード処理装置によるカード挿入および返却動作＞
カード処理装置１００にカードＣＡが挿入されていない状態において、図２及び図３に示されるようにカードＣＡが開口１ａから挿入されると、バネ６、６により上方に付勢されたスライダ５の突出部５ｂにカードＣＡの一方の端部が当接された状態で、当該カードＣＡが下方へ押し続けられることにより、当該スライダ５がカードＣＡとともにバネ６、６の付勢力に抗して押し下げられる。
【００２４】
このとき、図５に示されるように、図中時計回り方向へ付勢された第１ストッパ１０の爪１０ｂと、カードＣＡの挿入とともに上方から下方へ押し下げられたスライダ５の係合孔５ａとが係合され、当該スライダ５がその位置に留まることとなる。このときカードＣＡとリーダライタ１２とは互いに対向された配置状態となるため、当該リーダライタ１２によりカードＣＡに対するデータの読み出しや書き込みが行われる。
【００２５】
その後、カードＣＡに対する返却命令が与えられると、その返却命令に応じて電磁ソレノイド９に電流が印加され、図４及び図５に示されるように、プランジャ９ａが下方に吸引されるので、当該プランジャ９ａとともにピン１１が下方へ移動し、プランジャ９ａが更に吸引され続けることにより、軸１０ａを中心として第１ストッパ１０が反時計回り方向へ回転される。
【００２６】
この結果、図６及び図７に示されるように、第１ストッパ１０の爪１０ｂとスライダ５の係合孔５ａとの係合状態が解除され、当該スライダ５はバネ６、６の付勢力により上方へ押し上げられ、スライダ５の突出部５ｂに一方の端部が当接されたカードＣＡもスライダ５とともに一緒に押し上げられ、当該カードＣＡの他方の端部が開口１ａから僅かに露出する。
【００２７】
このとき、第２ストッパ２０に形成された当接部２２が、スライダ５の移動に伴って軸受部２３により回動し、カードＣＡに当接しているため、返却時のカードＣＡの勢い抑えることができる。これにより、カードＣＡが勢いよく飛び出すことを防止することができる。
ユーザは、開口１ａから露出したカードＣＡの他方の端部を指で掴んで引き抜くことによりカードＣＡの返却を受けることができる。
【００２８】
本発明の実施形態によれば、いかなる状態のカードに対しても開口からカードが飛び出したり、詰まったりすることがなく、使い勝手が向上する。また第２ストッパ２０を自重により軸支することにより部品点数の削減、さらなる使い勝手の向上が図れる。本実施形態では、第２ストッパ２０がカードＣＡの表面を当接するが、側面に当接するように構成してもよい。
【００２９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３０】
１００…カード処理装置、１…ベース、２…カバー、３…シャッタ、４…リンク、５…スライダ、６…バネ（付勢部）、９…電磁ソレノイド、１０…第１ストッパ、１２…リーダライタ、１４…ロックレバー、２０…第２ストッパ、２２…当接部。
【図１】
0006428377.tif 000002
【図２】
0006428377.tif 000003
【図３】
0006428377.tif 000004
【図４】
0006428377.tif 000005
【図５】
0006428377.tif 000006
【図６】
0006428377.tif 000007
【図７】
0006428377.tif 000008